(57)【要約】【課題】  着脱が容易で且つ外観上の美しさを損なうことなく、機器本体との一体感を損なうことなく、装飾パネルを装着可能とする。【解決手段】  装飾パネル３は、長辺方向の一方の端部内側に第１のリブを、他方の端部内側に第２のリブと第１のツメを備え、第２のリブは他方の端部側から内側へ向かって傾斜する斜面部を有する。端末本体は、上側端末１に、装飾パネル３の第１のリブが挿入される挿入口部と、装飾パネル３の第２のリブが挿入されると共に第２のリブの斜面部に相対応した斜面部を備えた第１の凹形状部及び装飾パネル３の第１のツメが嵌合される第２の凹形状部が一体化された着信ランプ用導光部品４と、着信ランプ用導光部品４をバネ力により内部側から外部側に向けて押すと共に当該着信ランプ用導光部品４を当該上側端末１に対して矢印Ａの没方向及びその逆の突方向に突没可能に収納する導光部品収納部とを備えている。【選択図】  図２
2007306104.tif 000002
【特許請求の範囲】
【請求項１】
第１のリブを一方の端部近傍に備え、第２のリブ及び第１のツメを他方の端部近傍に備え、上記第２のリブは上記他方の端部側から内側に向かって傾斜する所定の斜面部を有し、上記第１のツメは上記他方の端部側から内側に向かうツメ部を有する装飾パネルと、
上記装飾パネルの第１のリブが挿入される挿入口部と、上記装飾パネルの第２のリブが挿入されると共に上記第２のリブの斜面部に相対応した斜面部を備えた第１の凹形状部及び上記装飾パネルの第１のツメが嵌合される第２の凹形状部が一体化された導光部品と、上記導光部品をバネ力により内部側から外部側に向けて押すと共に当該導光部品を当該端末本体に対して突没可能に収納する導光部品収納部とを備えた端末本体と、
を有することを特徴とする携帯端末。
【請求項２】
上記端末本体は、上記装飾パネルが取り付けられる体裁面上に所定の機能を実行するための機能部を備え、
上記装飾パネルは、上記端末本体の上記体裁面上に設けられた機能部に相対応した窓部を備えることを特徴とする請求項１記載の携帯端末。
【請求項３】
上記導光部品は、端末本体内部に設けられた着信ランプからの光を外部へ出射するための着信ランプ用導光部品であることを特徴とする請求項１記載の携帯端末。
【請求項４】
上記装飾パネルの上記一方の端部及び他方の端部は当該装飾パネルの長辺方向の端部であり、当該装飾パネルは、短辺方向の両端部に第２のツメを備え、
上記端末本体は、上記装飾パネルの短辺方向の両端部に設けられた第２のツメが嵌合される溝部を有することを特徴とする請求項１記載の携帯端末。
【請求項５】
一方の端部近傍に設けられ、端末本体の挿入口部に挿入される第１のリブと、
他方の端部近傍に設けられ、当該他方の端部側から内側に向かって傾斜する所定の斜面部を備え、端末本体の第１の凹形状部に挿入される第２のリブと、
他方の端部近傍に設けられ、上記他方の端部側から内側に向かうツメ部を備え、端末本体の第２の凹形状部に嵌合される第１のツメと、
を有することを特徴とする装飾パネル。
【請求項６】
端末本体の体裁面上に設けられた所定の機能部に相対応した窓部を有することを特徴とする請求項５記載の装飾パネル。
【請求項７】
上記一方の端部及び他方の端部は当該パネルの長辺方向の端部であり、当該パネルの短辺方向の両端部に、端末本体に設けられた溝部と嵌合するための第２のツメを有することを特徴とする請求項５記載の装飾パネル。
【請求項８】
装飾パネルの一方の端部近傍に設けられた第１のリブが挿入される挿入口部と、
上記装飾パネルの他方の端部近傍に設けられて当該他方の端末側から内側に傾斜する所定の斜面部を有する第２のリブが挿入されると共に当該第２のリブの斜面部に相対応した斜面部を備えた第１の凹形状部と、上記装飾パネルの他方の端部近傍に設けられて当該他方の端末の内側に向かう第１のツメが嵌合される第２の凹形状部とが一体化された導光部品と、
上記導光部品をバネ力により内部側から外部側へ向けて押すと共に当該導光部品を当該端末本体に対して突没可能に収納する導光部品収納部と、
を有することを特徴とする携帯端末。
【請求項９】
上記装飾パネルが取り付けられる体裁面上に所定の機能を実行するための機能部を備えることを特徴とする請求項８記載の携帯端末。
【請求項１０】
上記導光部品は、端末本体内部に設けられた着信ランプからの光を外部へ出射するための着信ランプ用導光部品であることを特徴とする請求項８記載の携帯端末。
【請求項１１】
上記装飾パネルの上記一方の端部及び他方の端部は当該装飾パネルの長辺方向の端部であり、当該装飾パネルの短辺方向の両端部に設けられた第２のツメが嵌合される溝部を有することを特徴とする請求項８記載の携帯端末。
【発明の詳細な説明】
【技術分野】
【０００１】
本発明は、様々な色や模様の装飾パネルを筐体に着脱可能となされた携帯端末及びその装飾パネルに関する。
【背景技術】
【０００２】
特開２００５−９４５３３号の公開特許公報（特許文献１）には、筐体の一部を構成する筐体面を交換可能にすることで、デザインを簡単に変更することが可能ないわゆる着せ替え型の携帯電話機が開示されている。
【０００３】
また、特開２００５−２２３１９２号の公開特許公報（特許文献２）には、携帯機器のケースに対して、意匠パネルを容易に取り付け、取り外し可能とし、当該意匠パネルを交換することにより、例えば洋服に合わせた色の携帯電話機や、昼間と夜間とで色の異なる携帯電話機を実現可能とした技術が開示されている。
【０００４】
また、特開２００４−３６２５０８号の公開特許公報（特許文献３）には、機器ケースに交換可能に装着される化粧パネルを有する電子機器において、装着解除装置により、所望する際にいつでも化粧パネルを取り外すことを可能にするための技術が開示されている。
【０００５】
【特許文献１】特開２００５−９４５３３号公報（図１）
【特許文献２】特開２００５−２２３１９２号公報（図４）
【特許文献３】特開２００４−３６２５０８号公報（図１）
【発明の開示】
【発明が解決しようとする課題】
【０００６】
上述のように、携帯電話端末等の携帯機器において、交換可能な装飾パネルは、体裁面のデザインのバリエーションを広げる重要な役割を果たしている。
【０００７】
ところで、携帯機器に装飾パネルを着脱する際の方式としては、従来より、機器の筐体体裁面に対して装飾パネルをスライドさせながら着脱するようなスライド方式が多く採用されている。しかしながら、近年は、携帯機器の機能の増加に伴い、筐体体裁面にカメラの窓やサブ液晶、スピーカの音孔などの様々な機能部が配置されるようになり、上記装飾パネルをスライドさせて着脱する際にそれら機能部が干渉してしまう問題が発生し、その結果、当該スライド方式を採用することが困難になりつつある。
【０００８】
このような場合、機能部が装飾パネルによって塞がれてしまうことのないように、当該装飾パネルに開口部を設け、且つ、装飾パネルの着脱方式についても、上記機能部と干渉しない方向に着脱する方式が採用されることになる。その着脱方式の一例として、ビスなどで装飾パネルと機器本体を固定するビス止め方式や、機器本体の筐体体裁面に凹形状を設け、そこに嵌合するツメ形状を備えた装飾パネルを被せるような勘合方式がある。
【０００９】
しかしながら、上記ビス止め方式の場合は、上記ビスが外部に露出することになり、外観上の美しさが損なわれてしまうことになり、また、ビスの取り付け・取り外しのための専用の工具が必要になり、装飾パネルの着脱が非常に面倒になるという問題がある。
【００１０】
上記嵌合方式の場合には、上記装飾パネルが機器本体の筐体体裁面より一回り大きくなってしまい、また、上記装飾パネルを取り外す際に例えば指等をかけるための構造を設けなければならず、外観上の美しさが損なわれてしまうと同時に、装飾パネルを取り付けた状態での機器本体との一体感が損なわれるという問題がある。
【００１１】
本発明は、このような課題に鑑みてなされたものであり、着脱が容易で且つ外観上の美しさを損なうことなく、また、機器本体との一体感を損なうことなく、装飾パネルを装着可能な携帯端末とその装飾パネルを提供することを目的とする。
【課題を解決するための手段】
【００１２】
本発明の携帯端末は、第１のリブを一方の端部近傍に備え、第２のリブ及び第１のツメを他方の端部近傍に備え、第２のリブは他方の端部側から内側に向かって傾斜する所定の斜面部を有し、第１のツメは上記他方の端部側から内側に向かうツメ部を有する装飾パネルと、装飾パネルの第１のリブが挿入される挿入口部と、装飾パネルの第２のリブが挿入されると共に第２のリブの斜面部に相対応した斜面部を備えた第１の凹形状部及び装飾パネルの第１のツメが嵌合される第２の凹形状部が一体化された導光部品と、導光部品をバネ力により内部側から外部側へ向けて押すと共に当該導光部品を当該端末本体に対して突没可能に収納する導光部品収納部とを備えた端末本体とを有することにより、上述した課題を解決する。
【００１３】
また、本発明の装飾パネルは、一方の端部近傍に設けられ、端末本体の挿入口部に挿入される第１のリブと、他方の端部近傍に設けられ、当該他方の端部側から内側に向かって傾斜する所定の斜面部を備えて端末本体の第１の凹形状部に挿入される第２のリブと、他方の端部近傍に設けられ、他方の端部側から内側に向かうツメ部を備えて端末本体の第２の凹形状部に嵌合される第１のツメとを有することにより、上述した課題を解決する。
【００１４】
また、本発明の携帯端末は、装飾パネルの一方の端部近傍に設けられた第１のリブが挿入される挿入口部と、装飾パネルの他方の端部近傍に設けられて当該他方の端末側から内側に傾斜する所定の斜面部を有する第２のリブが挿入されると共に当該第２のリブの斜面部に相対応した斜面部を備えた第１の凹形状部と、装飾パネルの他方の端部近傍に設けられて当該他方の端末の内側に向かう第１のツメが嵌合される第２の凹形状部とが一体化された導光部品と、導光部品をバネ力により内部側から外部側へに向けて押すと共に当該導光部品を当該端末本体に対して突没可能に収納する導光部品収納部とを有することにより、上述した課題を解決する。
【００１５】
すなわち、本発明によれば、装飾パネルを端末本体に取り付ける際には、装飾パネルの第１のリブを端末本体の挿入口部に挿入し、装飾パネルの第２のリブを端末本体の第１の凹形状部に挿入すると共に、装飾パネルの第１のツメを端末本体の第２の凹形状部に嵌合させて、装飾パネルを端末本体に取り付けるようにする。一方、装飾パネルを取り外す際に、導光部品を端末本体に対して没方向に押し込むようにすると、その押込力が、第２の凹形状部の斜面部及び装飾パネルの第２のリブの斜面部を通じて、端末本体から装飾パネルを外す方向へ作用する。
【発明の効果】
【００１６】
本発明によれば、装飾パネルの第１のリブを端末本体の挿入口部に挿入し、装飾パネルの第２のリブを端末本体の第１の凹形状部に挿入すると共に、装飾パネルの第１のツメを端末本体の第２の凹形状部に嵌合させて、装飾パネルを端末本体に取り付けるようにし、一方、導光部品を端末本体に対して没方向に押し込み、その押込力を、第２の凹形状部の斜面部及び装飾パネルの第２のリブの斜面部を通じて、端末本体から装飾パネルを外す方向へ作用させて、装飾パネルを取り外すようになされているため、端末本体の体裁面上に様々な機能部が配置されていたとしても、それら機能部に干渉することなく、容易に装飾パネルを着脱可能となる。
【００１７】
また、本発明によれば、導光部品が装飾パネルの着脱機構を兼ねているため、外観上の美しさを損なうことなく、また、端末本体との一体感を損なうことなく、装飾パネルを装着可能となっている。
【発明を実施するための最良の形態】
【００１８】
以下、図面を参照しながら、本発明の携帯端末の一実施形態について説明する。
【００１９】
なお、本実施形態では、本発明の携帯端末の一例として、携帯電話端末を挙げているが、勿論、ここで説明する内容はあくまで一例であり、本発明はこの例に限定されないことは言うまでもない。
【００２０】
〔携帯電話端末の概略的な外観〕
図１には、本発明の実施形態の携帯電話端末の外観を示す。
【００２１】
本実施形態の携帯電話端末は、上側筐体１と下側筐体２をヒンジ部１２を介して折り畳み可能となされたいわゆる折り畳み型の携帯電話端末である。なお、図１は、本実施形態の携帯電話端末を閉じている状態を示している。また、図１は、上側筐体１の筐体体裁面に装飾パネル３が取り付けられている状態を示している。
【００２２】
本実施形態の携帯電話端末は、上側筐体１にカメラレンズ１０が配され、またその近傍には撮影補助光を発光するためのライト導光部品１１が配されている。これらカメラレンズ１０やライト導光部品１１は、上側筐体１の筐体体裁面から突出して配されている。このため、上記装飾パネル３には、上記カメラレンズ１０とライト導光部品１１との干渉を避けるための構成として、上記カメラレンズ１０用の開口部としてカメラ窓部５と、ライト導光部品１１用の開口部としてライト窓部６とが設けられている。
【００２３】
また、本実施形態の携帯電話端末において、上側筐体１には、上記ヒンジ部１２が配されている一方の端部と相対応する他方の端部の側面に、着信ランプ用導光部品４が設けられている。すなわち、上記着信ランプ用導光部品４の筐体内部側には着信ランプ（ＬＥＤ）が設けられおり、上記着信ランプからの光が当該着信ランプ用導光部品４内を通って外部に出射可能となされている。
【００２４】
〔装飾パネル着脱機構の概要〕
ここで、詳細については後述するが、上記着信ランプ用導光部品４は、上記装飾パネル３を着脱する際の固定及び解除（取り外し）を行うための機能をも備えている。
【００２５】
すなわち、本実施形態の携帯電話端末においては、装飾パネル３が上側筐体１に取り付けられている状態の時に、着信ランプ用導光部品４が図２中の矢印Ａ１方向へ押し込み操作された場合には、上記装飾パネル３の一方の端部内側に設けられている後述する固定用ツメと、上記着信ランプ用導光部品４に設けられている後述する凹形状部との嵌合が解除されて、上記装飾パネル３が図２中の矢印Ａ２方向へ取り外し可能となされる。
【００２６】
一方、装飾パネル３を取り付ける際には、図３中の矢印Ａ３に示すように、装飾パネル３の他方の端部内側に設けられているリブ３ａを、上側筐体１の上記ヒンジ部１２の近傍に設けられている挿入口１ａに差し込み、その状態からさらに、図４中の矢印Ａ４に示すように、装飾パネル３の一方の端部を上側筐体１の体裁面１３上に被せ、上記装飾パネル３に設けられている固定用ツメと、上記着信ランプ用導光部品４の凹形状部とを嵌合させる。この時、上記着信ランプ用導光部品４は、上側筐体１の内部に設けられているバネの反発力により、図２中の矢印Ａ１の反対方向に押され、これにより、上記装飾パネル３の固定用ツメと上記着信ランプ用導光部品４の凹形状部との嵌合が維持される状態（ロック状態）となる。
【００２７】
〔装飾パネル着脱機構の詳細〕
図５及び図６には、上記装飾パネル３が取り外された状態の携帯電話端末の外観を示している。なお、図５は、閉じた状態の携帯電話端末をヒンジ部１２を左側にして観たときの斜視図であり、図６は、閉じた状態の携帯電話端末をヒンジ部１２を右側にして観たときの斜視図である。
【００２８】
これら図５及び図６に示すように、上側筐体１の上記ヒンジ部１２の近傍には、上記装飾パネル３のリブ３ａが差し込まれて嵌合される挿入口１ａが設けられており、また、上側筐体１の側面部分には、長手方向に延びる溝部１ｂ，１ｃが設けられている。
【００２９】
図７及び図８には、取り外された状態の上記装飾パネル３の外観を示している。なお、図７は、カメラ窓部５を左側にして当該装飾パネル３を内側（上側筐体１に取り付けられた時に体裁面１３側になる面）から観たときの斜視図であり、図８は、カメラ窓部５を右側にして当該装飾パネル３を内側から観たときの斜視図である。
【００３０】
これら図７及び図８に示すように、装飾パネル３の内側には、上記上側筐体１の挿入口１ａに差し込まれて嵌合されるリブ３ａと、ツメ３ｂ〜３ｈ及び、リブ３ｉが設けられている。
【００３１】
上記リブ３ａは、当該装飾パネル３の長辺方向の一方の端部内側に設けられており、上記ツメ３ｈ及びリブ３ｉは、当該装飾パネルの長辺方向の他方の端部内側に設けられている。上記ツメ３ｈは、当該装飾パネル３を上側筐体１に取り付けた際に、上記着信ランプ用導光部品４の前記凹形状部と嵌合させるための前記固定用ツメである。また、上記ツメ３ｂ及び３ｃは、当該装飾パネル３の短辺方向の一方の端部内側に設けられており、上記ツメ３ｄ〜３ｇは、当該装飾パネル３の短辺方向の他方の端部内側に設けられている。上記ツメ３ｂ及び３ｃは、当該装飾パネル３を上側筐体１に取り付けた際に上側筐体１の溝部１ｂと嵌合させるために設けられており、ツメ３ｄ〜３ｇは、当該装飾パネル３を上側筐体１に取り付けた際に上側筐体１の溝部１ｃと嵌合させるために設けられている。
【００３２】
すなわち本実施形態において、当該装飾パネル３を上側筐体１に装着した場合には、上記装飾パネル３のリブ３ａが上側筐体１の挿入口１ａに差し込まれて嵌合されると共に、上記装飾パネル３のツメ３ｂ，３ｃが上側筐体１の溝部１ｂと嵌合し、上記装飾パネル３のツメ３ｄ〜３ｇが上側筐体１の溝部１ｃと嵌合し、さらに、装飾パネル３のツメ３ｈ（固定用ツメ）が上側筐体１の凹形状部と嵌合する。
【００３３】
図９には、上記装飾パネル３に設けられている上記リブ３ｉ及びツメ３ｈ（固定用ツメ）部分のみを拡大して示す。また、図１０には、装飾パネル３が取り外された状態の上側筐体１の着信ランプ用導光部品収納部３０と着信ランプ用導光部品４の近傍を拡大して示す。さらに、図１１及び図１２には、装飾パネル３が取り付けられた状態の上側筐体１の上記着信ランプ用導光部品収納部３０と着信ランプ用導光部品４の近傍を、上記図１０中の一点鎖線Ｌ１で切断した時の概略断面図を示し、また、図１３及び図１４には、装飾パネル３が取り付けられた状態の上側筐体１の上記着信ランプ用導光部品収納部３０と着信ランプ用導光部品４近傍を、上記図１０中の一点鎖線Ｌ２で切断した時の概略断面図を示している。
【００３４】
本実施形態において、図１１及び図１２に示すように、上側筐体１の内部には、回路基板２２に接続された着信用ＬＥＤ２１が設けられており、当該着信用ＬＥＤ２１の光出射部は上記着信ランプ用導光部材４の方向に向けられている。これにより、着信用ＬＥＤ２１が発光した場合、その出射光は、上記着信ランプ用導光部材４内を通って、外部へ出射されることになる。
【００３５】
また本実施形態において、上記装飾パネル３のリブ３ｉは、図９、図１３及び図１４に示すように、装飾パネル３の短辺方向に対応する幅が略々一定となされ、一方、装飾パネル３の長辺方向に対応する幅が底辺部から頂点部に向かって徐々に狭くなる形状、つまり所定の斜面部を有する形状となされている。なお、本実施形態の場合、上記リブ３ｉの斜面部は、少なくとも当該装飾パネル３の端部側の斜面部、つまり端部側から内側に向けた斜面部となされている。当該リブ３ｉは、図１０、図１３及び図１４に示すように、装飾パネル３が上側筐体１に取り付けられる際に、上記着信ランプ用導光部品４と一体化されている凹形状部４ｂ内に挿入される。当該着信ランプ用導光部品４の上記凹形状部４ｂは、上記リブ３ｉの上記斜面部に相対応した斜面部を有している。
【００３６】
また、上記ツメ３ｈは、そのツメ部分が当該装飾パネル３の内側方向に向くように形成されている。当該ツメ３ｈは、図９、図１１及び図１２に示すように、当該装飾パネル３が上側筐体１に取り付けられる際に、上記着信ランプ用導光部品４と一体化されている凹形状部４ａ内に挿入されて嵌合される。
【００３７】
ここで、上記着信ランプ用導光部品４の内壁面には、図１１及び図１２に示すように、コイルバネ２０の一方のバネ端部が当接されている。当該コイルバネ２０は、他方のバネ端部が上側筐体１の内部に設けられている付き当て部材２３に当接されている。したがって、上記着信ランプ用導光部品４は、上記コイルバネ２０の反発力により、図１１，図１２中の矢印Ａ５に示す方向、つまり上側筐体１の内部側から外部側（着信ランプ用導光部品収納部３０の内部側から外部側）へ向かう方向に力が加えられていることになる。一方で、着信ランプ用導光部材４に対し、図１２，図１４中の矢印Ａ６方向に押込力が加えられた時には、上記コイルバネ２が圧縮され、それにより、当該着信ランプ用導光部材４は上側筐体１の内部側（着信ランプ用導光部品収納部３０の内部側）へ押し込められることになる。なお、図示は省略しているが、着信ランプ用導光部品収納部３０は、着信ランプ用導光部品４が上側筐体１内から外部へ飛び出さないようなストッパ部も備えている。
【００３８】
このように、上記着信ランプ用導光部材４は、上側筐体１に対して突没可能となされていると共に、コイルバネ２０の反発力により常に上側筐体１の内部側から外部側へ向かう方向に力が加えられている。したがって、当該装飾パネル３を上側筐体１に取り付けた場合、図９〜図１２に示すように、コイルバネ２０の反発力により、常に、上記装飾パネル３のツメ３ｈに上記着信ランプ用導光部品４の凹形状部４ａが嵌合する方向に力が加えられることになる。これにより、当該装飾パネル３は、上側筐体１から容易に外れないように固定されることになる。
【００３９】
また、前述の図３及び図４に示したように当該装飾パネル３を上側筐体１に取り付ける際には、上記装飾パネル３のリブ３ｉと着信ランプ用導光部材４の凹形状部４ｂの各々対応した斜面部分が摺動することにより、上記装飾パネル３を上側筐体１へ押しつける力が、上記着信ランプ用導光部材４を上側筐体１の内部方向へ移動させる力として作用し、これにより、上記装飾パネル３のツメ３ｈが着信ランプ用導光部材７の凹形状部４ａに嵌合できる位置まで、着信ランプ用導光部材７が移動することになる。
【００４０】
一方で、上記装飾パネル３のリブ３ｉと着信ランプ用導光部材の凹形状部４ｂは、各々上記斜面部が相対応するようになされると共に、上記着信ランプ用導光部材４は、図１２，図１４中の矢印Ａ６方向に押込力が加えられた時には、上記コイルバネ２の圧縮により上側筐体１の内部側へ押し込み可能となされている。したがって、上記着信ランプ用導光部材４が図１２，図１４中の矢印Ａ６方向へ押し込められた場合には、上記装飾パネル３のツメ３ｈと上記着信ランプ用導光部品４の凹形状部４ａとの嵌合が外れると同時に、上記装飾パネル３のリブ３ｉと着信ランプ用導光部材４の凹形状部４ｂの各々対応した斜面部分が摺動することにより、図１４中の矢印Ａ７に示す方向へ押し上げる力が発生し、これによって、上記装飾パネル３は上側筐体１から容易に取り外される（解除される）ことになる。
【００４１】
〔まとめ〕
以上説明したように、本実施形態の携帯電話端末によれば、装飾パネル３を上側筐体１に取り付ける際には、図３及び図４に示したように、装飾パネル３を上側筐体１の上方向から取り付けることになり、一方、装飾パネル３を上側筐体１から取り外す際には、着信ランプ用導光部材４の押込力が上記装飾パネル３を上方向に押し上げるようになされているため、装飾パネル３の着脱時に、当該装飾パネル３がカメラレンズ１０とライト導光部品１１に干渉することがない。
【００４２】
また、本実施形態によれば、装飾パネルをビス止めしたり、装飾パネルを端末本体より一回り大きくしたり、端末体裁面に装飾パネル嵌合用の不自然な凹形状を設ける必要がなくなり、装飾パネルを端末の体裁面にシームレスに一体化させて取り付けることができ、小型化と外観上の美しさを確保できる。
【００４３】
また、本実施形態によれば、着信ランプ用導光部品４に、装飾パネル３の固定と解除の機能を兼用させており、それらの機能専用の機構部品を別途設ける必要がないため、携帯機器自体の小型化、単純化が可能となる。
【００４４】
さらに、本実施形態によれば、ビスなどの別部品を用いて装飾パネル３を固定する必要がないため、当該装飾パネル２を交換する際の手間やビスなどの紛失の恐れなく、ユーザが簡易に装飾パネル３を交換できるようになっている。
【００４５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００４６】
例えば、本発明は、上述した携帯電話端末に限定されず、例えばＰＤＡやノート型のパーソナルコンピュータ、電子辞書等の他の携帯端末にも適用可能である。
【図面の簡単な説明】
【００４７】
【図１】本実施形態の携帯電話端末の外観斜視図である。
【図２】本実施形態の携帯電話端末において、装飾パネルを取り外す際の説明に用いる外観斜視図である。
【図３】装飾パネルを上側筐体に取り付ける際に、装飾パネルのリブを上側筐体の挿入口に差し込む手順の説明に用いる図である。
【図４】装飾パネルを上側筐体に取り付ける際に、装飾パネルの固定用ツメと着信ランプ用導光部品の凹形状部とを嵌合させる手順の説明に用いる図である。
【図５】装飾パネルが取り外された状態の携帯電話端末の外観を示し、特に、閉じた状態の携帯電話端末をヒンジ部を左側にして観たときの斜視図である。
【図６】装飾パネルが取り外された状態の携帯電話端末の外観を示し、特に、閉じた状態の携帯電話端末をヒンジ部を右側にして観たときの斜視図である。
【図７】取り外された状態の装飾パネルの外観を示し、特に、カメラ窓部を左側にして当該装飾パネルを内側から観たときの斜視図である。
【図８】取り外された状態の装飾パネルの外観を示し、特に、カメラ窓部を右側にして当該装飾パネルを内側から観たときの斜視図である。
【図９】装飾パネルに設けられているリブ及び固定用ツメ部分のみを拡大して示す図である。
【図１０】装飾パネルが取り外された状態の上側筐体の着信ランプ用導光部品近傍を拡大して示す図である。
【図１１】装飾パネルが取り付けられた状態で着信ランプ用導光部品が上側筐体内部に押し込められていない時に、上側筐体の着信ランプ用導光部品近傍を図１０中の一点鎖線Ｌ１で切断した概略断面図である。
【図１２】装飾パネルが取り付けられた状態で着信ランプ用導光部品が上側筐体内部に押し込められた時に、上側筐体の着信ランプ用導光部品近傍を図１０中の一点鎖線Ｌ１で切断した概略断面図である。
【図１３】装飾パネルが取り付けられた状態で着信ランプ用導光部品が上側筐体内部に押し込められていない時に、上側筐体の着信ランプ用導光部品近傍を図１０中の一点鎖線Ｌ２で切断した概略断面図である。
【図１４】装飾パネルが取り付けられた状態で着信ランプ用導光部品が上側筐体内部に押し込められた時に、上側筐体の着信ランプ用導光部品近傍を図１０中の一点鎖線Ｌ２で切断した概略断面図である。
【符号の説明】
【００４８】
１  上側筐体、２  下側筐体、３  装飾パネル、４  着信ランプ用導光部品、５  カメラ窓部、６  ライト窓部、１０  カメラレンズ、１１  ライト導光部品、１２  ヒンジ部、１３  上側筐体の体裁面、３ａ，３ｉ  リブ、３ｂ〜３ｈ  ツメ、４ａ，４ｂ  凹形状部、２０  コイルバネ、２１  着信ＬＥＤ、２２  回路基板、２３  付き当て部材
【図１】
2007306104.tif 000003
【図２】
2007306104.tif 000004
【図３】
2007306104.tif 000005
【図４】
2007306104.tif 000006
【図５】
2007306104.tif 000007
【図６】
2007306104.tif 000008
【図７】
2007306104.tif 000009
【図８】
2007306104.tif 000010
【図９】
2007306104.tif 000011
【図１０】
2007306104.tif 000012
【図１１】
2007306104.tif 000013
【図１２】
2007306104.tif 000014
【図１３】
2007306104.tif 000015
【図１４】
2007306104.tif 000016